(57)【要約】  【課題】  着用者とその周囲に存在する他者とのコミュニケーションをより豊かにすることを可能とする着用品ユニットを提供する。  【解決手段】  Ｔシャツユニット１は、生地１０と、生地１０に付設され、ユーザの生体情報を検出するセンサ３０と、検出した生体情報に基づいて、ユーザの状態を示す情報を生地１０の表に表示する表示部２０とを備える。【選択図】  図１
2006188772.tif 000002
【特許請求の範囲】
【請求項１】
着用品と、
前記着用品を着ている着用者の生体情報を検出する検出部と、
検出された生体情報に基づいて、前記着用者の状態を示す情報を前記着用品に表示する表示部と
を備えることを特徴とする着用品ユニット。
【請求項２】
前記表示部は、着用者の感情状態を示す情報を表示することを特徴とする請求項１に記載の着用品ユニット。
【請求項３】
前記表示部は、着用者の健康状態を示す情報を表示することを特徴とする請求項１に記載の着用品ユニット。
【請求項４】
前記生体情報は、心拍、発汗、体温、呼吸、血圧、脈、皮膚抵抗のうちの少なくとも一つを含む情報であることを特徴とする請求項１から３のいずれかに記載の着用品ユニット。
【請求項５】
所定の情報を表示する発光素子用の配線として用いられる導電性の糸が織り込まれていることを特徴とする生地。
【請求項６】
縦糸と横糸とが織られている生地と、前記生地の表側に配置された複数の発光素子とを備えた生地ユニットであって、
前記縦糸及び横糸のそれぞれ少なくとも一部は導電性を有しており、
前記発光素子は、前記縦糸及び前記横糸の導電性を有する部分にそれぞれ電気的に接続されていることを特徴とする生地ユニット。
【発明の詳細な説明】
【技術分野】
【０００１】
本発明は、着用者の状態を表示する着用品ユニット等に関する。
【背景技術】
【０００２】
衣服は、肌が直接外気にさらされて身体が冷えることを防止したり、着衣者の社会的な属性を示すことを目的として着られるものである。
係る衣服においては、個人の嗜好の多様化に伴って、斬新な機能を付加することが求められている。
【特許文献１】特開２００２‐１８０３１０号公報
【発明の開示】
【発明が解決しようとする課題】
【０００３】
ところで一般に、感情などの自己の身体に関する状態を周囲の人に伝えること、また、周囲の人に理解してもらうことは難しい。
とりわけ、例えば周囲の人と言葉が通じにくい異国に滞在するような場合、また、何らかの原因で発声が困難である人々においては、上記した問題が顕著である。
本発明はこのような背景においてなされたものであり、周囲に存在する他者とのコミュニケーションをより豊かにすることを可能とする着用品ユニット等を提供することを目的とする。
【課題を解決するための手段】
【０００４】
上記目的を達成するために、本発明に係る着用品ユニットは、着用品と、前記着用品を着ている着用者の生体情報を検出する検出部と、検出された生体情報に基づいて、前記着用者の状態を示す情報を前記着用品に表示する表示部とを備えることを特徴とする。
また、前記表示部は、着用者の感情状態を示す情報を表示することを特徴とする。
また、前記表示部は、着用者の健康状態を示す情報を表示することを特徴とする。
【０００５】
さらに、前記生体情報は、心拍、発汗、体温、呼吸、血圧、脈、皮膚抵抗のうちの少なくとも一つを含む情報であることを特徴とする。
本発明に係る生地は、所定の情報を表示する発光素子用の配線として用いられる導電性の糸が織り込まれていることを特徴とする。
本発明に係る生地ユニットは、縦糸と横糸とが織られている生地と、前記生地の表側に配置された複数の発光素子とを備えた生地ユニットであって、前記縦糸及び横糸のそれぞれ少なくとも一部は導電性を有しており、前記発光素子は、前記縦糸及び前記横糸の導電性を有する部分にそれぞれ電気的に接続されていることを特徴とする。
【発明の効果】
【０００６】
本発明に係る着用品ユニットによれば、着用品に、着用者の状態を示す情報を表示するので、着用者は自己の状態を周囲の他者に示すことが可能となり、周囲の他者は着用者の状態を理解することが可能となる。したがって、着用者とその周囲に存在する他者とのコミュニケーションをより豊かにすることができる。
本発明に係る生地によれば、発光素子用の配線が織り込まれているので、生地に直接発光素子を接続して表に所定の情報を表示することが可能となる。
【０００７】
また、本発明に係る生地ユニットによれば、容易にマトリックス型表示を構築することが可能となる。
【発明を実施するための最良の形態】
【０００８】
（実施の形態）
以下、図面を参照しながら、着用品ユニットの一例としてＴシャツユニットに本発明を適用した場合の実施の形態について説明する。なお、このＴシャツユニットを着衣する着衣者（ユーザ）は、職場において普段から当該Ｔシャツユニットを着ているものとする。
図１は、本実施の形態に係るＴシャツユニット１の外観を示す図であり、同図の（ａ）はＴシャツユニットの表側を示し、（ｂ）はＴシャツユニットを裏側（裏返した状態）を示している。
【０００９】
Ｔシャツユニット１は、Ｔシャツの生地１０、表示部２０、心拍数センサ３０、表示制御部４０を備えている。
生地１０の表側には、各種模様や文字などを表示する表示部２０が備えられている。この表示部２０は、後述するようにマトリックス状に配列された多数のＬＥＤから構成されている。
【００１０】
Ｔシャツの生地１０には、心拍数センサ３０が付設されている。具体的に、心拍数センサは直ちに測定開始できるように、生地１０の、着衣時にユーザの脇の下に接するような位置に貼着されている。
生地１０の裏側の下部には、内ポケット１２が縫着されており、この内ポケット１２内にはリチウムイオンバッテリー１４が収納されている。このリチウムイオンバッテリー１４は、図示しない配線を介して、表示制御部４０等に電力を供給する。
【００１１】
表示制御部４０は、マイクロコンピュータ（microcomputer）４２と、このマイクロコンピュータ４２にそれぞれ接続された生地１０の裏側の上下方向に延在する行データバス４４と、左右方向に延在する列データバス４６とを備えており、心拍数センサ３０が検出した心拍数に基づいて上記表示部２０に所定の表示を行なわせる。
図２は、Ｔシャツユニット１の回路構成を示す図である。
【００１２】
図２に示すように、マイクロコンピュータ４２は心拍数センサ３０と接続されており、当該心拍数センサ３０からセンサデータの入力を受け付ける。
マイクロコンピュータ４２には、行データバス４４と列データバス４６とが接続されている。
この行データバス４４と列データバス４６は、例えば１２０×１９２個のマトリックス状に配列されたＬＥＤ２４の各々と接続されている。このＬＥＤ２４はそれぞれ赤、青、緑の３色のいずれか発光するものとする。
【００１３】
図３は、マイクロコンピュータ４２の機能ブロック図である。
マイクロコンピュータ４２は、センサデータＩ／Ｆ（interface）部４２２、演算処理部４２３、表示Ｉ／Ｆ部４２４、記憶部４２６、計時部４２８を備えている。
センサデータＩ／Ｆ部４２２は、心拍数センサ３０からセンサデータを受け付ける。
記憶部４２６は、表示制御プログラムと受け付けたセンサデータの履歴等を記憶する。
【００１４】
計時部４２８は、時間の経過を計測する。
演算処理部４２３は、上記表示制御プログラムに、受け付けたセンサデータのパラメータを用いて演算処理を実行し、表示に関する所定の命令を表示Ｉ／Ｆ部４２４を介して表示部２０へ送出する。
図４は、マイクロコンピュータ４２が実行するセンサデータ処理を示すフローチャートである。
【００１５】
センサデータ処理では、デフォルトの状態においては表示部２０に青色の魚を表示させる（Ｓ１０１）。
心拍数センサ３０から受け付けたセンサデータである心拍数が１５０（拍／分）以上なると（Ｓ１０１：Ｙｅｓ）、表示している青色の魚２２の色を変えて、赤色の魚２２を表示する（Ｓ１０３）。
【００１６】
その後、３分経過すると（Ｓ１０４：Ｙｅｓ）、ステップＳ１０１に戻って、再び青色の魚２２を表示させることとなる。なお、上記センサデータ処理は一例であり、検出したデータをどのように扱うかは記憶部４２６に格納された表示制御プログラムにより決定されるので、当該プログラムを改変することにより、所望の方式に変更することが可能である。
【００１７】
以上説明したように、Ｔシャツユニット１は、心拍数センサ３０が検出した心拍数が１５０（拍／分）以上となった場合に、表示部２０に表示している魚２２の色を青色から赤色に変化させるので、ユーザの周囲にいる職場の同僚等は、普段は青色の魚が赤色に変化しているのを見て、ユーザが興奮状態や怒りの状態にあることを推し量ることが可能となる。
【００１８】
ユーザにとっては、自己の感情状態を周囲の同僚にほのめかすことができ、ユーザと周囲の同僚との間のコミュニケーションをより豊かにすることが可能となる。
（生地１０と表示部２０について）
図５は、生地１０の表を拡大した模式図である。
生地１０は、縦糸１１０と横糸１２０とが一本おきに浮き沈みして織り込まれた平織り状の形状をしている。
【００１９】
縦糸１１０は、導電性縦糸１１２と非導電性縦糸１１４とから構成されている。非導電性縦糸１１４としては、例えば綿糸を用いることができ、導電性縦糸１１２としては、例えば銀メッキ糸を用いることができる。なお、感電防止の観点から上記銀メッキ糸には、絶縁被覆を施すことが好ましい。
横糸１２０も同様に、導電性横糸１２２と非導電性横糸１２４とから構成されている。
【００２０】
図６は、図５の紙面に垂直かつ横糸１２０に平行な方向における断面図であり、生地１０にＬＥＤ２４が取り付けられている様子を示している。
生地ユニット５０は、生地１０と、この生地１０の表側に配置されたＬＥＤ２４とを備えている。
ＬＥＤ２４の一方のリード線２６ａは導電性縦糸１１２と接続され、他方のリード線２６ｂは導電性横糸１２２と接続されている。ＬＥＤ２４に順方向の電流が流れるように、導電性縦糸１１２と導電性横糸１２２の電位を設定すれば、当該ＬＥＤ２４を発光させることが可能となっている。
【００２１】
従来、一般に広告や自己表現を目的として、所定の情報を表示するための発光素子を身にまとうためには、通常の衣服とは別に、発光素子専用の服を着る必要があった。このように、発光素子用の服を別に重ね着することは面倒であるし、重ね着することでファッションの拡張性が乏しくなるという問題があった。
図５、図６に示すように、本実施の形態に係る生地１０には、ＬＥＤ２４用の配線として導電性の糸１１２，１２２が織られているので、当該生地に直接ＬＥＤ２４を接続することが可能となる。このような生地１０は、所定の情報を表示する発光素子を備えた衣服の素材として用いることができる。
【００２２】
また、導電性縦糸１１２と導電性横糸１２２との各交差点の表面付近にＬＥＤ２４を配置して、当該ＬＥＤ２４を上記導電性縦糸１１２と導電性横糸１２２とに接続すれば、容易に生地ユニット５０の表面にマトリックス型表示を構築することが可能となる。
（変形例）
本発明を実施の形態に基づいて説明してきたが、上述の実施の形態に限定されないのは勿論である。
【００２３】
（１）  生体情報について
上述の実施の形態においては、Ｔシャツユニット１は、ユーザの心拍数を検出する構成として説明したが、ユーザの生体情報であればこれに限られず、心拍、発汗、体温、呼吸、血圧、脈、皮膚抵抗、体臭等などを検出するようにしても構わない。
また、表示部２０に表示させる情報は、ユーザの感情状態を示す情報に限られず、ユーザの健康状態を指標する情報を表示させてもよい。例えば、ユーザの血圧値を検出して、血圧の数値を表示させるようにしても構わない。このようにすれば、ユーザの健康状態を心配している家族等に安心感を与えることができる。また、万一、ユーザの状態が急変した場合には、周囲の人は上記表示を参照してよりユーザにとって適切な行動をとることができよう。
【００２４】
なお、複数の生体情報を検出し、検出した複数の生体情報を組み合わせて表示部２０の表示に反映させるようにしてもよい。
（２）  表示について
実施の形態においては、生地１０の表の矩形領域（表示部２０）内の表示のみを変更させる構成であったが、Ｔシャツユニット１の生地１０全体の模様・色を変更させるようにしても構わない。
【００２５】
また、実施の形態においては、ユーザの状態を示す情報の表示として、表示部２０内の魚２２の色を変更するようにしているが、これに限られず、表示部２０内に表示した文字を変更するようにしても構わない。
図７は、係る変形例を示す図である。
図７（ａ）においては、表示部２０内に「普通です」とあり、図７（ｂ）においては「不安です」とあるように、着用者の状態が文字情報として表示されている。このように着用者の状態を文字として表示すれば、より直接的に着用者の周囲に自己の状態を訴えかける（アピールする）ことが可能となる。
【００２６】
（３）  着用品について
実施の形態においては、着用品ユニットの一例として、Ｔシャツユニット１を用いて説明しているが、これに限られず他の着用品にも本発明を適用することができる。
図８は、係る変形例を示す図である。
図８に示すように、ネクタイユニット２は、台形状をした表示部２１を有しており、この表示部２１内には魚２２が表示されている。一般にネクタイは、自己の感情を率直に表現し難いフォーマルな場所・環境の下で着用されることが多いため、特に本発明を適用することが好適である。ネクタイの他にも、帽子、ズボン、パンツ、おむつなどの着用品にも適用することができる。
【００２７】
また、犬などの動物の着用品にも適用することができる。
図９は、係るの変形例を示す図である。
図９に示すように、着用品ユニット３は、犬Ｄの生体情報を検出するセンサ３１と、検出された生体情報に基づいた表示を行う表示部２５を備えている。犬Ｄは、図示しない飼い主に飼われているものとする。
【００２８】
一般に、犬は言語を使用できないので、自己の感情などの状態を周囲の人間に伝えることが特に困難である。
着用品ユニット３によれば、犬Ｄは、自己の状態を飼い主等の周囲の人間に示すことが可能となり、また飼い主は犬Ｄの状態を推し量ることが可能となる。したがって、犬Ｄと飼い主との間のコミュニケーションを豊かにすることができる。
【００２９】
（４）なお、本発明に係るＴシャツユニット１は、次のような効果をも得ることができよう。
すなわち、近年の情報技術の進展により、遠方の他者と意思疎通を図ることが従来より格段に容易となっているものの、その反面で、地域社会、電車内等の公共の場所、及び会社のオフィスなど空間的に近隣に存在する個人の間の関係が疎遠となっており、近隣の人々の間の共生感が急速に失われつつあるのが現状である。
【００３０】
本発明に係るＴシャツユニット１によれば、空間的に近隣に存在する人々におけるコミュニケーションをより豊かにすることが可能となるであろう。
【産業上の利用可能性】
【００３１】
本発明に係る着用品ユニットは、着用者の状態を周囲の他者に伝えることができるので、その利用価値は大きい。
【図面の簡単な説明】
【００３２】
【図１】本実施の形態に係るＴシャツユニット１の外観を示す図であり、同図の（ａ）はＴシャツユニットの表側を示し、（ｂ）はＴシャツユニットを裏返した状態を示している。
【図２】Ｔシャツユニットの回路構成を示す図である。
【図３】マイクロコンピュータ４２の機能ブロック図である。
【図４】マイクロコンピュータが実行するセンサデータ処理を示すフローチャートである。
【図５】生地１０の表を拡大した模式図である。
【図６】図５の紙面に垂直かつ横糸１２０に平行な方向における断面図であり、生地１０にＬＥＤ２４が取り付けられる様子を示す図である。
【図７】変形例を示す図である。
【図８】変形例を示す図である。
【図９】変形例を示す図である。
【符号の説明】
【００３３】
１        Ｔシャツユニット
２        ネクタイユニット
１０        生地
１２        内ポケット
１４        リチウムイオンバッテリー
２０，２１  表示部
２２        魚
２４        ＬＥＤ
２６ａ，２６ｂ    リード線
３０        心拍数センサ
３１        センサ
４０        表示制御部
４２        マイクロコンピュータ
４４        行データバス
４６        列データバス
５０        生地ユニット
１１０      縦糸
１１２      導電性縦糸
１１４      非導電性縦糸
１２０      横糸
１２２      導電性横糸
１２４      非導電性横糸
４２２      センサデータＩ／Ｆ部
４２３      演算処理部
４２４      表示Ｉ／Ｆ部
４２６      記憶部
４２８      計時部
４４        行データバス
４６        列データバス
Ｄ        犬
【図１】
2006188772.tif 000003
【図２】
2006188772.tif 000004
【図３】
2006188772.tif 000005
【図４】
2006188772.tif 000006
【図５】
2006188772.tif 000007
【図６】
2006188772.tif 000008
【図７】
2006188772.tif 000009
【図８】
2006188772.tif 000010
【図９】
2006188772.tif 000011